(57)【要約】【課題】  ペットが身震いしてもペット飾りが脱落しない強力な保持力を発揮でき、ペット毛をゴム紐に絡ませることなく簡単に着脱できるペット飾り取付装置と取付方法を提供する。【解決手段】  ペット飾り１Ａ，１Ｂ，１Ｃ，１Ｄをゴム紐３に支持する。ゴム紐３を二つ折りにして接続具４の貫通孔に通し、貫通孔から露出したゴム紐３によりループを形成し、ループにペット毛Ｈを挿通する。ゴム紐３と接続具４との相対移動によりループを貫通孔に出し入れ自在とし、貫通孔の内側で閉じたループによりペット毛Ｈを締め付ける。接続具４を抜け止めするためのビーズ１５を糸でループに取り付け、糸の周囲において、接続具４とビーズ１５の相対面にペット毛Ｈを挟着する挟着部を形成する。【選択図】        図１
2012187011.tif 000002
【特許請求の範囲】
【請求項１】
ペット飾りを支持するゴム紐と、ゴム紐をペット毛に接続する接続具とを備え、ゴム紐を二つ折りにして接続具の貫通孔に通し、貫通孔から露出したゴム紐にペット毛を挿通するループを形成し、ゴム紐と接続具との相対移動によりループを貫通孔に出し入れ自在としたことを特徴とするペット飾り取付装置。
【請求項２】
前記ループに接続具を抜け止めするためのビーズを設けた請求項１記載のペット飾り取付装置。
【請求項３】
前記ビーズを糸でループに取り付け、糸の周囲において接続具とビーズの相対面にペット毛を挟着する挟着部を形成した請求項２記載のペット飾り取付装置。
【請求項４】
環状のゴム紐の２箇所を前記接続具と締付具で束ね、締付具にゴム紐を挿通する挿通孔を貫設し、挿通孔から露出したゴム紐に第１ペット飾りを支持する第１環状部を形成し、締付具と接続具との間のゴム紐に第２ペット飾りを支持する第２環状部を形成した請求項１〜３の何れか一項に記載のペット飾り取付装置。
【請求項５】
前記第１環状部に第１ペット飾りを吊り下げる吊り輪を設けた請求項４記載のペット飾り取付装置。
【請求項６】
ペット飾りをゴム紐に支持し、ゴム紐を二つ折りにして接続具の貫通孔に通し、貫通孔から露出したゴム紐にループを形成し、ループにペット毛を挿通し、ゴム紐と接続具の相対移動によりループを貫通孔に引き込み、貫通孔の内側で閉じたループによってペット毛を締め付けることを特徴とするペット飾り取付方法。
【請求項７】
前記ループに接続具を抜け止めするためのビーズを設け、ループを貫通孔に引き込んだ状態で、ビーズと接続具が双方間にペット毛を挟着する請求項６記載のペット飾り取付方法。
【請求項８】
前記ループを貫通孔に引き込んだ状態で、ゴム紐の収縮力によりビーズが接続具側に引っ張られている請求項７記載のペット飾り取付方法。
【発明の詳細な説明】
【技術分野】
【０００１】
本発明は、ペットの毛にペット飾りを取り付けるためのペット飾り取付装置と取付方法に関する。
【背景技術】
【０００２】
従来、ペット毛をクランプすることでペット飾りを取り付ける装置が知られている。例えば、特許文献１には、ペット飾りを保持するケースに複数の櫛歯を支持し、歯車機構により櫛歯をケースから一斉に出し入れし、櫛歯でペット毛をクランプしてペット飾りを取り付けるペット飾り取付装置が記載されている。
【０００３】
また、ペット飾りをゴムでペット毛に取り付ける方法も知られている。例えば、特許文献２には、装飾用付け毛の上端に管状部材とゴム輪を取り付け、ペット毛をゴム輪に結び付け、結び目を針で管状部材の内側に押し込み、装飾用付け毛をペット毛に取り付ける方法が提案されている。
【先行技術文献】
【特許文献】
【０００４】
【特許文献１】特開平８−３８２３６号公報
【特許文献２】特開２００５−１３９５９６号公報
【発明の概要】
【発明が解決しようとする課題】
【０００５】
ところが、特許文献１の取付装置は、構造が複雑なうえ、質量が嵩み、ペットが身震いしたときなどに、ペット飾りがペット毛から簡単に脱落してしまうという問題点があった。また、特許文献２の取付方法によると、ペット毛とゴム輪の結び目を管状部材の内側に押し込んでいるので、ゴム輪が捩じれてペット毛に絡み付き、取り外しに際してゴム輪を切断する必要があるなど、ペット飾りの着脱に手間がかかるという不都合があった。
【０００６】
本発明の目的は、ペット毛にペット飾りを強固に取り付けでき、かつ容易に取り外すことができるペット飾り取付装置および取付方法を提供することにある。
【課題を解決するための手段】
【０００７】
上記課題を解決するために、本発明は、次のようなペット飾り取付装置および取付方法を提供する。
【０００８】
（１）ペット飾りを支持するゴム紐と、ゴム紐をペット毛に接続する接続具とを備え、ゴム紐を二つ折りにして接続具の貫通孔に通し、貫通孔から露出したゴム紐にペット毛を挿通するループを形成し、ゴム紐と接続具との相対移動によりループを貫通孔に出し入れ自在としたことを特徴とするペット飾り取付装置。
【０００９】
（２）ループに接続具を抜け止めするためのビーズを設けたことを特徴とするペット飾り取付装置。
【００１０】
（３）ビーズを糸でループに取り付け、糸の周囲において接続具とビーズの相対面にペット毛を挟着する挟着部を形成したことを特徴とするペット飾り取付装置。
【００１１】
（４）環状のゴム紐の２箇所を接続具と締付具で束ね、締付具にゴム紐を挿通する挿通孔を貫設し、挿通孔から露出したゴム紐に第１ペット飾りを支持する第１環状部を形成し、締付具と接続具との間のゴム紐に第２ペット飾りを支持する第２環状部を形成したことを特徴とするペット飾り取付具。
【００１２】
（５）第１環状部に第１ペット飾りを吊り下げる吊り輪を設けたことを特徴とするペット飾り取付具。
【００１３】
（６）ペット飾りをゴム紐に支持し、ゴム紐を二つ折りにして接続具の貫通孔に通し、貫通孔から露出したゴム紐にループを形成し、ループにペット毛を挿通し、ゴム紐と接続具の相対移動によりループを貫通孔に引き込み、貫通孔の内側で閉じたループによってペット毛を締め付けることを特徴とするペット飾り取付方法。
【００１４】
（７）ループに接続具を抜け止めするためのビーズを設け、ループを貫通孔に引き込んだ状態で、ビーズと接続具が双方間にペット毛を挟着することを特徴とするペット飾り取付方法。
【００１５】
（８）ループを貫通孔に引き込んだ状態で、ゴム紐の収縮力によりビーズが接続具側に引っ張られていることを特徴とするペット飾り取付方法。
【発明の効果】
【００１６】
本発明のペット飾り取付装置および取付方法によれば、ペット毛を通したループを接続具の貫通孔に引き込むので、ゴム紐を捩じることなくペット毛に強固に接続でき、かつ容易に取り外すことができるという効果がある。
【図面の簡単な説明】
【００１７】
【図１】本発明のペット飾り取付装置の使用状態を示すペットの正面図である。
【図２】ペット飾り取付装置の一実施形態を示す正面図である。
【図３】図２の取付装置の断面図である。
【図４】ペット飾りの幾つかの実施例を示す正面図である。
【図５】ペット飾り取付方法の一実施形態を示す工程図である。
【図６】ペット毛の締付工程を詳細に示す工程図である。
【図７】上下に２つのペット飾りを取り付ける方法を示す工程図である。
【図８】下側一つのペット飾りを取り付ける方法を示す工程図である。
【図９】ペット飾り取付装置の変更例を示す正面図である。
【図１０】ペット飾り取付装置の別の変更例を示す斜視図である。
【図１１】ペット飾り取付装置のさらに別の変更例を示す斜視図である。
【発明を実施するための形態】
【００１８】
以下、本発明の実施形態を図面に基づいて説明する。図１に示すペットＰには、複数のペット飾り１Ａ〜１Ｄが装着されている。ペット飾り１は、飼い主の好みに適ったデザインの装飾パーツが取付装置２によってペット毛Ｈに取り付けられている。例えば、ペット飾り１Ａは帽子、ペット飾り１Ｂはリボン、ペット飾り１Ｃは短冊片、ペット飾り１Ｄは宝石房を摸して製作されている。
【００１９】
図２、図３に示すように、取付装置２は、例えばペット飾り１Ｃを支持するゴム紐３を備えている。ゴム紐３は、シリコンゴムで環状に形成され、２箇所が接続具４と締付具５で束ねられている。接続具４は貫通孔６を備え、貫通孔６にゴム紐３の基端部が二つ折りにして挿通されている。そして、貫通孔６から露出したゴム紐３によってペット毛Ｈを挿通するループ７が形成され、ゴム紐３と接続具４との相対移動によって、ループ７を貫通孔６に出し入れ自在となっている（図６参照）。
【００２０】
締付具５には挿通孔８が貫設され、挿通孔８にゴム紐３の先端部が二つ折りにして挿通されている。挿通孔８から露出したゴム紐３には第１環状部９が形成され、第１環状部９に第１ペット飾り（例えば、図２に示すペット飾り１Ｃ）を吊り下げる吊り輪１０が設けられている。なお、吊り輪１０は、締付具５をゴム紐３に抜け止めする機能も備えている。また、吊り輪１０を介さずに、第１ペット飾りを第１環状部９に直接取り付けることもできる。
【００２１】
図３、図４に示すように、締付具５と接続具４との間のゴム紐３には、第２ペット飾り（例えば、図４に示すペット飾り１Ａ，１Ｂ）を支持する第２環状部１１が形成されている。第２ペット飾り１Ａ，１Ｂには、帽子やリボンを第２環状部１１に潜らせて留めるための留め具１２が設けられている。第１ペット飾り１Ｃ，１Ｄ，１Ｅには、短冊片や宝石房や羽根を吊り輪１０または第１環状部９に掛止するためのフック１３が設けられている。
【００２２】
図３、図６に示すように、ループ７には、接続具４をゴム紐３に抜け止めするためのビーズ１５が糸１６によって取り付けられている。糸１６はビーズ１５の細孔１７に挿通され、接着剤１８でビーズ１５に固着されている。接続具４およびビーズ１５はゴム紐３と比較して硬質の木やプラスチック材料で円筒形または球形に成形され、糸１６の周囲において、接続具４とビーズ１５の相対面にペット毛Ｈを挟着する円形の挟着部４ａ，１５ａが形成されている。
【００２３】
次に、上記構成の取付装置２を用いて、ペット飾り１をペット毛Ｈに取り付ける方法について説明する。まず、図５（ａ）に示すように、使用者は好みのペット飾り１Ｃを取付装置２の吊り輪１０に支持する。次に、接続具４とビーズ１５を互いに反対方向に引っ張り、ループ７を拡大し、その内側に一撮みのペット毛Ｈを挿通する。続いて、図５（ｂ）に示すように、接続具４と締付具５を互いに反対方向に引っ張り、接続具４をビーズ１５に当接させ、双方間にペット毛Ｈを挟着する。
【００２４】
このとき、図６（ｃ）に示すように、ゴム紐３と接続具４との相対移動によって、ループ７が接続具４の貫通孔６に引き込まれ、貫通孔６の内側でゴム紐３が圧縮され、ループ７が徐々に縮小する。そして、図６（ｄ）に示すように、ループ７が完全に閉じた状態で、ペット毛Ｈがループ７の密着部にてゴム紐３の弾力によって締め付けられると同時に、接続具４の挟着部４ａとビーズ１５の挟着部１５ａとの間で挟着される。
【００２５】
この状態では、ループ７の肩部７aが貫通孔６の出口に引っ掛かり、ゴム紐３の収縮力（弾性復元力）によりビーズ１５が糸１６を介して接続具４側に引っ張られている。このため、使用者がゴム紐３から手を離した後も、ペット毛Ｈが接続具４とビーズ１５との間に強力に挟着され続ける。従って、ペット飾り１の着用状態で、ペットＰが激しく身震いしたとしても、ゴム紐３がペット毛Ｈから離脱するおそれがなく、ペット飾り１でペットＰを長期間かわいらしく装うことができる。
【００２６】
図７（ｅ）に示すように、２つのペット飾り１Ｂ，１Ｃを取り付ける場合には、接続具４と締付具５を相互に引き離し、ゴム紐３を開いて第２環状部１１を拡大し、その内側にペット飾り１Ｂの留め具１２を潜らせる。そして、図７（ｆ）に示すように、締付具５を接続具４側へスライドし、第２環状部１１を縮小し、ゴム紐３で留め具１２を拘束する。こうすれば、締付具５がゴム紐３との摩擦力で締付位置に保持されるので、比較的大型のペット飾り１Ｂでもゴム紐３上に強力に装着できる。
【００２７】
一方、第２環状部１１を使用しない場合は、図５（ｂ）に示すように、ゴム紐３をペット毛Ｈに取り付けた後に、図８（ｇ）に示すように、締付具５と吊り輪１０を引き離し、締付具５を接続具４に当接させる。こうすれば、図８（ｈ）に示すように、ループ７が貫通孔６と挿通孔８の両方にわたって長く伸びるため、ゴム紐３の収縮力が増強され、これによってペット毛Ｈが接続具４とビーズ１５との間で強力に挟着される。従って、接続具４のみによる場合（図６ｄ参照）と比較し、より強力にペット毛Ｈをクランプできる。
【００２８】
なお、本発明のペット飾り取付方法は、上述した手順に限定されるものではなく、例えば、上記実施形態とは逆に、まず、ゴム紐３をペット毛Ｈに取り付け、次に、ペット飾り１をゴム紐３に支持するなど、手順を適宜に変更して実施することもできる。また、本発明のペット飾り取付装置も、上記実施形態に限定されるものではなく、以下に例示するように、発明の趣旨を逸脱しない範囲で、各部の形状や構成を適宜に変更して実施することも可能である。
【００２９】
（１）図９に示すペット飾り取付装置２２において、両端が開いたゴム紐３を使用し、このゴム紐３を二つ折りにして締付具５の挿通孔８（図３参照）、接続具４の貫通孔６に順次通し、貫通孔６から露出したゴム紐３にペット毛を挿通するループ７を形成し、ループ７にビーズ１５を取り付ける。そして、ゴム紐３の両端に取着した支持具２３にペット飾り（木の葉）１Ｆを支持し、それより上位の環状部１１に別のペット飾り（ポンポン）１Ｇを支持する。
【００３０】
（２）図１０に示すペット飾り取付装置３２において、環状のゴム紐３上に接続具４と締付具３５を挿着し、締付具３５に支持布３３を取り付け、支持布３３に面ファスナー３４を貼り付ける。そして、ペット飾り１Ａ側にも面ファスナー３４を貼り付け、面ファスナー３４，３４同士の接着により、ペット飾り１Ａを支持布３３に着脱可能に支持する。
【００３１】
（３）ゴム紐３にペット飾り１を支持する手段は、留め具１２、フック１３、面ファスナー３４に限定されず、両面接着テープ、ネジ、磁石など、適宜の着脱手段を採用できる。
（４）ペット飾り１は、図示例に限定されず、任意の形状に変形可能である。例えば、ペット飾り１として、ペットＰに寄生するノミやダニの寄生虫駆除剤を収容した装飾用容器、または、寄生虫駆除剤や香水を含浸した装飾用湿布、あるいは、ペットＰの身元情報を記憶したＩＣチップ付き装飾用パーツなどを使用することも可能である。
【００３２】
（５）上記実施形態では、ビーズ１５をループ７に糸１６で取り付けたが、図１１に示すように、ビーズ２５をループ７に一体的に設けることもできる。この場合は、図１１（ａ）に示すように、ゴム紐３の一部にビーズ２５をシリコンゴムで一体成形し、ビーズ２５の部位でゴム紐３を二つ折りにして貫通孔６に通す。使用時には、上記実施形態と同様、図１１（ｂ）に示すように、ゴム紐３の収縮力を利用し、ペット毛Ｈをビーズ２５の挟着部２５ａと接続具４の挟着部４ａとの間で強力に挟着できる。
【符号の説明】
【００３３】
１Ａ〜１Ｇ    ペット飾り
２，２２，３２    ペット飾り取付装置
３    ゴム紐
４    接続具
４ａ，１５ａ，２５ａ    挟着部
５    締付具
６    貫通孔
７    ループ
８    挿通孔
９    第１環状部
１０    吊り輪
１１    第２環状部
１５，２５    ビーズ
１６    糸
Ｐ    ペット
Ｈ    ペット毛
【図１】
2012187011.tif 000003
【図２】
2012187011.tif 000004
【図３】
2012187011.tif 000005
【図４】
2012187011.tif 000006
【図５】
2012187011.tif 000007
【図６】
2012187011.tif 000008
【図７】
2012187011.tif 000009
【図８】
2012187011.tif 000010
【図９】
2012187011.tif 000011
【図１０】
2012187011.tif 000012
【図１１】
2012187011.tif 000013